(57)【要約】【課題】  移動体端末によって媒体から取得された位置情報を、短距離無線通信機能により外部機器に設定する移動体端末およびこれを用いた移動体端末連携システムを得る。【解決手段】  印刷媒体から光学コード２００を移動体端末１００の光学コード読取部１０２によって読取り、光学コード２００から位置情報を示す文字列３００を抽出し、この文字列３００を表示操作画面３０１に表示し、この表示操作画面３０１を操作することにより、短距離無線通信部１０１から文字列３００を外部機器４００に送信し、外部機器４００ではその文字列を位置情報として設定して、ナビゲーションを開始するようにした。【選択図】図１
2006333108.tif 000002
【特許請求の範囲】
【請求項１】
印刷媒体から光学コードを読取り、上記光学コードから位置情報を抽出する光学コード読取部、およびこの光学コード読取部により抽出された位置情報を短距離無線通信により外部機器に送信する短距離無線通信部を備えたことを特徴とする移動体端末。
【請求項２】
上記光学コード読取部により読取られた位置情報を記憶する記憶装置を備え、上記位置情報は、上記記憶装置から必要に応じて読み出され、上記短距離無線通信部により上記外部機器に送信されることを特徴とする請求項１記載の移動体端末。
【請求項３】
ネットワーク上のホームページを閲覧するブラウザ、および位置情報を外部機器に短距離無線通信により送信する短距離無線通信部を備え、上記ホームページから得られるコンテンツに含まれる位置情報を有するアンカータグを上記ブラウザで選択することにより、上記位置情報を取得し、上記短距離無線通信部は、上記取得した位置情報を外部機器に送信することを特徴とする移動体端末。
【請求項４】
請求項１〜請求項３のいずれかに記載の移動体端末、およびこの移動体端末から送信される位置情報を用いてナビゲーションを行う外部機器を備えたことを特徴とする移動体端末連携システム。
【発明の詳細な説明】
【技術分野】
【０００１】
この発明は、位置情報を取得する移動体端末、およびこの位置情報を用いて外部機器との連携を行う移動体連携システムに関するものである。
【背景技術】
【０００２】
カーナビゲーション・システム等、その利用者が地理的位置情報を緯度経度の座標を行き先等として設定する機器において、従来、位置情報の入力を容易にするために、利用者が機器の操作部を介して電話番号やランドマーク等を指定することにより、機器がそれらに基づいた内蔵のデータベースから対応する座標を特定して、その機器における目的地等の設定が行われる仕組みが備わっている。
特許文献１には、ナビゲーション装置が、レストランのＣＭ放送に基き、通信端末を介してＧＰＳから得られる位置情報を付して付加コンテンツを要求し、これを受けてサーバ装置では、位置情報に最も近いレストランの店舗についてのＣＭ放送の付加コンテンツを検索して、ナビゲーション装置に送信し、ナビゲーション装置で、送信されたこのレストランの情報を表示するものが記載されている。
【０００３】
【特許文献１】特開２００２−３６８７０６号公報（第４〜７頁、図１）
【発明の開示】
【発明が解決しようとする課題】
【０００４】
しかしながら、カーナビゲーション・システム等の機器は、ガイドブックやチラシ等の印刷物や電車の中吊り広告、看板などの掲示物に記された場所（位置）の情報を直接機器に入力する手段がなく、このため、利用者は、一旦印刷物や掲示物に記された情報を記憶し、カーナビゲーション・システム等の機器に備わったユーザ・インタフェースから所定の手続きを経て、行き先を設定する必要があった。
また、携帯電話などの移動体端末によるネットワーク上のホームページの閲覧に伴って得られる情報に基づいた位置情報を、直接カーナビゲーション・システム等の外部機器に設定する手段も同様に備わっていなかった。
特許文献１のものでは、ナビゲーション装置は、通信端末を介してサーバ装置から送信されたＣＭ放送の付加コンテンツとしてのレストラン情報を単に表示するものであり、通信端末がサーバ装置から位置情報を取得し、これをナビゲーション装置に設定するものではなかった。
【０００５】
この発明は、上述のような課題を解決するためになされたものであり、移動体端末によって媒体から取得された位置情報を、短距離無線通信機能により外部機器に設定する移動体端末およびこれを用いた移動体端末連携システムを得ることを目的にしている。
【課題を解決するための手段】
【０００６】
この発明に係わる移動体端末においては、印刷媒体から光学コードを読取り、光学コードから位置情報を抽出する光学コード読取部、およびこの光学コード読取部により抽出された位置情報を短距離無線通信により外部機器に送信する短距離無線通信部を備えたものである。
【発明の効果】
【０００７】
この発明は、以上説明したように、印刷媒体から光学コードを読取り、光学コードから位置情報を抽出する光学コード読取部、およびこの光学コード読取部により抽出された位置情報を短距離無線通信により外部機器に送信する短距離無線通信部を備えたので、ガイドブックや行き先案内に印刷された光学コードから位置情報を容易に取り込むことができ、その位置情報を外部機器に送信することができる。
【発明を実施するための最良の形態】
【０００８】
実施の形態１．
実施の形態１は、二次元バーコード等の光学コードを読取る光学コード読取部を備えた移動体端末で、位置情報を含む印刷物をスキャンしてその光学コードを読み取った際に、特定の文字列の解釈を行い、その結果、外部機器とＢｌｕｅｔｏｏｔｈ等の無線接続手順に従って接続を行うと同時に、文字列で指定された位置情報を、外部機器に送付し、外部機器は、その位置情報に従って、行き先設定等の動作を完了すると同時に、これを契機にナビゲーション機能等の位置情報に基づいた機能を動作開始するものである。
【０００９】
以下、具体的に説明する。
図１は、この発明の実施の形態１による移動体端末連携システムを示すシステム構成図である。
図１において、移動体端末１００は、二次元バーコード等の光学コードを読取る光学コード読取部１０２と、表示操作画面３０１に表示すると共に表示操作画面３０１を画面操作される表示操作部１０７と、Ｂｌｕｅｔｏｏｔｈなどによる短距離無線通信部１０１とを備えている。光学コード２００は、媒体としての印刷物に表記された位置情報を含むコードである。文字列３００は、読取られた光学コード２００から得られるものであり、表示操作画面３０１上に表示される。
外部機器４００は、移動体端末１００と連携するように構成され、短距離無線通信部１０１に対応したＢｌｕｅｔｏｏｔｈなどによる短距離無線通信部４０１と、表示部４０２を備えている。
【００１０】
図２は、この発明の実施の形態１による移動体端末連携システムの光学コード読取部を示す構成図であり、光学コード２００を読み取り、位置情報を示す文字列３００の解釈を行う構成を示している。
図２において、カメラ１０３は、光学コート２００を撮像する。光学コード解釈部１０４は、カメラ１０３で撮像された光学コード２００を文字列に変換する。文字列解釈部１０５は、光学コード解釈部１０４により光学コード２００から変換された文字列を解釈して、位置情報を含む文字列を読取る。
【００１１】
図３は、この発明の実施の形態１による移動体端末連携システムの位置情報を含む文字列を示す図である。
図３において、文字列３００は、文字列解釈部１０５により読取られた位置情報を含む文字列であり、ストレージ１０６（記憶装置）に記憶されると共に、必要に応じて読み出される。
【００１２】
次に、具体的な動作について説明する。
二次元バーコード等の光学コードを読取る光学コード読取部１０２を備えた移動体端末１００で、ガイドブックやチラシ等の印刷物や電車の中吊り広告、看板などの掲示物の媒体に印刷された目的地の位置情報を含む光学コード２００をスキャンして、その情報を読み取る。この光学コード２００から図２の構成により、位置情報を読み取る。
図２の移動体端末１００に備わったカメラ１０３は、二次元バーコード等の光学コードを撮像し、これを光学コード解釈部１０４に送り、光学コード解釈部１０４では、光学コードを文字列に変換して、さらに文字列解釈部１０５に送る。この文字列解釈部１０５で、図１における特定の文字列３００の解釈を行い、文字列３００を明示的に移動体端末１００の表示操作画面３０１上に表示する。
この表示操作画面３０１で、移動体端末１００の操作によって利用者が選択ボタンを押下することによって、短距離無線通信部１０１を起動して、外部機器４００との連携を行うアプリケーションを立ち上げる、または一旦その情報を保存することができる。
【００１３】
なお、図１では、光学コードを読み取った後、その場で外部機器連携を行う例を示しているが、図３に示すように、読み取った文字列３００を一旦移動体端末１００のストレージ１０６に保存しておき、別の機会にストレージ１０６から読み出して利用することも可能である。
図１で、文字列３００を明示的に移動体端末１００の表示操作画面３０１上に表示した後、その表示操作画面３０１から指示を行って、移動体端末１００と外部機器４００との間で短距離無線通信部１０１、４０１の接続を行い、移動体端末１００から文字列３００で指定された位置情報ＸＸＸ．ＹＹＹ．ＺＺＺ−ｘｘｘ．ｙｙｙ．ｚｚｚを、外部機器４００に送付する。ここで、ＸＸＸ．ＹＹＹ．ＺＺＺは、緯度ＸＸＸ度、ＹＹＹ分、ＺＺＺ秒を表し、ｘｘｘ．ｙｙｙ．ｚｚｚは、経緯ｘｘｘ度、ｙｙｙ分、ｚｚｚ秒を表す。
【００１４】
移動体端末１００と外部機器４００間の接続は、ここではＢｌｕｅｔｏｏｔｈのＯｂｊｅｃｔ  Ｐｕｓｈ  Ｐｒｏｆｉｌｅに規定された手順を利用する。この手順に従って位置情報の送付を受けた外部機器４００は、その位置情報に従って行き先設定等の動作を完了すると、送付された位置情報を目的地として設定するかどうかを選択するメッセージをナビゲーションの表示部４０２に表示し、利用者がその位置情報に基づいた目的地設定操作を行うことができる。これによって外部機器４００は、目的地までのナビゲーションを開始する。
【００１５】
実施の形態１によれば、移動体端末の光学コード読取部により印刷媒体から読取った光学コードから取得した位置情報を外部機器に設定し、この位置情報に基き外部機器にナビゲーションなどの動作を行わせることができる。
【００１６】
実施の形態２．
実施の形態２は、ネットワーク上のホームページ上に掲載された位置情報を、移動体端末で閲覧することによって取得し、移動体端末から外部機器に送信し、この位置情報に基いて外部機器を動作させるものである。
図４は、この発明の実施の形態２による移動体端末連携システムを示すシステム構成図である。
図４において、１００〜１０２、１０７、２００、３００、３０１、４００〜４０２は図１におけるものと同一のものである。コンテンツ５００は、移動体端末１００によるネットワーク上のホームページの閲覧に伴って得られるもので、位置情報を得るための媒体である。基地局６００は、移動体端末１００がコンテンツ５００を取得するために経由するネットワークアクセスの基地局である。
【００１７】
次に、移動体端末１００が、基地局６００を介してネットワーク上のホームページからの位置情報の取得について説明する。
移動体端末１００は、基地局６００を介してネットワーク上のホームページの閲覧に伴って得られるコンテンツ５００に基づいて、位置情報を明示的に移動体端末１００の表示操作画面３０１上に表示する。
図４に示すとおり、コンテンツ５００には、ネットワーク上のＨＴＭＬファイル内部に＜Ａ  ｈｒｅｆ＝  ｎａｖｉｔｏ：ＸＸＸ．ＹＹＹ．ＺＺＺ−ｘｘｘ．ｙｙｙ．ｚｚｚ＞というアンカータグとして位置情報が記載されている。ホームページの閲覧に伴って得られるコンテンツ５００は、移動体端末１００の表示操作画面３０１において、ブラウザのアンカータグを選択する操作を契機に、短距離無線通信部１０１、４０１を起動して、外部機器４００との連携を行うアプリケーションを立ち上げることができる。
このアプリケーションから、移動体端末１００と外部機器４００との間で短距離無線通信部の接続を行い、移動体端末１００からアンカータグで記載された位置情報ＸＸＸ．ＹＹＹ．ＺＺＺ−ｘｘｘ．ｙｙｙ．ｚｚｚを、外部機器４００に送付する。ここで、ＸＸＸ．ＹＹＹ．ＺＺＺは、緯度ＸＸＸ度、ＹＹＹ分、ＺＺＺ秒を表し、ｘｘｘ．ｙｙｙ．ｚｚｚは、経緯ｘｘｘ度、ｙｙｙ分、ｚｚｚ秒を表す。
外部機器４００は、その位置情報に従って行き先設定等の動作を完了すると同時に、これを契機にナビゲーション機能等の位置情報に基づいた機能を動作開始する。
【００１８】
実施の形態２によれば、移動体端末がネットワークのホームページから取得した位置情報を外部機器に設定し、この位置情報に基き外部機器にナビゲーションなどの動作を行わせることができる。
【図面の簡単な説明】
【００１９】
【図１】この発明の実施の形態１による移動体端末連携システムを示すシステム構成図である。
【図２】この発明の実施の形態１による移動体端末連携システムの光学コード読取部を示す構成図である。
【図３】この発明の実施の形態１による移動体端末連携システムの位置情報を含む文字列を示す図である。
【図４】この発明の実施の形態２による移動体端末連携システムを示すシステム構成図である。
【符号の説明】
【００２０】
１００  移動体端末、１０１  短距離無線通信部、１０２  光学コード読取部、
１０３  カメラ、１０４  光学コード解釈部、１０５  文字列解釈部、
１０６  ストレージ、１０７  表示操作部、３００  文字列、
３０１  表示操作画面、４００  外部機器、４０１  短距離無線通信部、
４０２  表示部、５００  コンテンツ、６００  基地局。
【図１】
2006333108.tif 000003
【図２】
2006333108.tif 000004
【図３】
2006333108.tif 000005
【図４】
2006333108.tif 000006